【手続補正書】
【提出日】平成23年3月1日(2011.3.1)
【手続補正１】
【補正対象書類名】特許請求の範囲
【補正対象項目名】全文
【補正方法】変更
【補正の内容】
【特許請求の範囲】
【請求項１】
無線通信環境において制御メッセージを含むフレームを送ることを容易にする方法であって、
制御メッセージのセットにインデックスを割り当てることと、
前記インデックスに基づいて、それぞれの対象受信者のアクセス端末に前記制御メッセージのそれぞれのサブセットの送信を制限すること
とを含む、方法。
【請求項２】
前記制御メッセージのセットに割り振られた時間−周波数資源グループの対応するサブセットに前記制御メッセージのそれぞれのサブセットの各々を制限することをさらに含む、請求項１の方法。
【請求項３】
前記制御メッセージは共有及び非共有リンク割り当てブロック(ＬＡＢ)を含み、
フレーム中の共有ＬＡＢにインデックスを割り当てることと、
前記それぞれの対象受信者のアクセス端末に対応する識別子のハッシュの関数として、前記フレーム中の非共有ＬＡＢにインデックスを割り当てることと、
前記割り当てられたインデックスに従って順序付けられた前記共有ＬＡＢ及び前記非共有ＬＡＢを含む前記フレームを送信すること
とをさらに含む、請求項1の方法。
【請求項４】
前記共有ＬＡＢに割り当てられた前記インデックスは、０からＭａｘＮｕｍＳｈａｒｅｄＬＡＢｓ−１までのサブセット中にあり、ＭａｘＮｕｍＳｈａｒｅｄＬＡＢｓは、複数のアクセス端末によって復号されるＬＡＢの最大数を示す、請求項３の方法。
【請求項５】
アクセス端末の能力と前記識別子の前記ハッシュとに基づいて、前記フレーム中の前記非共有ＬＡＢに前記インデックスを割り当てることをさらに含む、請求項３の方法。
【請求項６】
前記識別子は、前記それぞれの対象受信者のアクセス端末に対応するＭＡＣＩＤである、請求項５の方法。
【請求項７】
前記非共有ＬＡＢに割り当てられた前記インデックスは、ＭａｘＮｕｍＳｈａｒｅｄＬＡＢｓ＋ｆＨＡＳＨ(ＭＡＣＩＤ)からＭａｘＮｕｍＳｈａｒｅｄＬＡＢｓ＋（ｆＨＡＳＨ(ＭＡＣＩＤ)＋ＭａｘＮｕｍＩｎｄｉｖＬＡＢＤｅｃ−１）ｍｏｄ（ＭａｘＮｕｍＬＡＢｓ−ＭａｘＮｕｍＳｈａｒｅｄＬＡＢｓ)までのサブセット中にあり、ＭａｘＮｕｍＳｈａｒｅｄＬＡＢｓは、複数のアクセス端末によって復号されるＬＡＢの最大数を示し、ＭａｘＮｕｍＩｎｄｉｖＬＡＢＤｅｃは、１つのアクセス端末が復号する非共有ＬＡＢの最大数を示し、ＭａｘＮｕｍＬＡＢｓは、１つの物理(ＰＨＹ)フレームで送信されるＬＡＢの最大数を示す、請求項６の方法。
【請求項８】
共通のアクセス端末に宛てられた非共有ＬＡＢが通信されるＬＡＢセグメントの数を最小化することによって前記非共有ＬＡＢのためのインデックスの割り当てを最適化するために前記識別子の前記ハッシュを調整することをさらに含む、請求項３の方法。
【請求項９】
順方向リンク共有制御チャネル(Ｆ−ＳＣＣＨ)により前記フレームを送信することをさらに含む、請求項３の方法。
【請求項１０】
前記共有ＬＡＢ及び前記非共有ＬＡＢは、帯域幅又はパケットフォーマットの少なくとも一方に関係する割り当てに関する情報を提供する、請求項３の方法。
【請求項１１】
制御メッセージのセットにインデックスを割り当てて、前記インデックスに基づいて、それぞれの対象受信者のアクセス端末に前記制御メッセージのそれぞれのサブセットの送信を制限することに関する命令を保持するメモリと、
前記メモリに保持されている前記命令を実行するように構成された、前記メモリに接続された、プロセッサ
とを具備する、無線通信装置。
【請求項１２】
前記メモリは、前記制御メッセージのセットに割り振られた時間−周波数資源グループの対応するサブセットに前記制御メッセージのそれぞれのサブセットの各々を制限することに関する命令をさらに保持する、請求項１１の無線通信装置。
【請求項１３】
前記制御メッセージは共有及び非共有リンク割り当てブロック(ＬＡＢ)を含み、前記メモリは、物理フレーム中の共有ＬＡＢにインデックスを割り振って、前記それぞれの対象受信者のアクセス端末に対応するＭＡＣＩＤのハッシュの関数として、前記物理フレーム中の個別ＬＡＢにインデックスを割り振って、前記割り振られたインデックスに従って順序付けられた前記共有ＬＡＢ及び前記個別ＬＡＢを含む前記物理フレームを送信することに関する命令をさらに保持する、請求項１１の無線通信装置。
【請求項１４】
前記共有ＬＡＢに割り振られた前記インデックスは、０からＭａｘＮｕｍＳｈａｒｅｄＬＡＢｓ−１までのサブセット中にあり、ＭａｘＮｕｍＳｈａｒｅｄＬＡＢｓは、複数のアクセス端末によって復号されるＬＡＢの最大数を示す、請求項１３の無線通信装置。
【請求項１５】
前記メモリは、アクセス端末の能力と前記ＭＡＣＩＤの前記ハッシュとに基づいて、前記物理フレーム中の前記個別ＬＡＢに前記インデックスを割り振ることに関する命令をさらに保持する、請求項１３の無線通信装置。
【請求項１６】
前記個別ＬＡＢに割り振られた前記インデックスは、ＭａｘＮｕｍＳｈａｒｅｄＬＡＢｓ＋ｆＨＡＳＨ(ＭＡＣＩＤ)からＭａｘＮｕｍＳｈａｒｅｄＬＡＢｓ＋（ｆＨＡＳＨ(ＭＡＣＩＤ)＋ＭａｘＮｕｍＩｎｄｉｖＬＡＢＤｅｃ−１）ｍｏｄ（ＭａｘＮｕｍＬＡＢｓ−ＭａｘＮｕｍＳｈａｒｅｄＬＡＢｓ)までのサブセット中にあり、ＭａｘＮｕｍＳｈａｒｅｄＬＡＢｓは、複数のアクセス端末によって復号されるＬＡＢの最大数を示し、ＭａｘＮｕｍＩｎｄｉｖＬＡＢＤｅｃは、１つのアクセス端末が復号する非共有ＬＡＢの最大数を示し、ＭａｘＮｕｍＬＡＢｓは、１つの物理フレームで送信されるＬＡＢの最大数を示す、請求項１５の無線通信装置。
【請求項１７】
前記メモリは、共通のアクセス端末に宛てられた個別ＬＡＢが通信されるＬＡＢセグメントの数を最小化することによって前記個別ＬＡＢのためのインデックスの割り振りを最適化するために前記ＭＡＣＩＤの前記ハッシュを調整することに関する命令をさらに保持する、請求項１３の無線通信装置。
【請求項１８】
前記共有ＬＡＢ及び前記個別ＬＡＢは、帯域幅又はパケットフォーマットの少なくとも一方に関係する割り当てに関する情報を提供する、請求項１３の無線通信装置。
【請求項１９】
無線通信環境においてリンク割り当てブロック（ＬＡＢ）にインデックスを割り当てて、それに基づいてＬＡＢを編成することを可能にする無線通信装置であって、
共有ＬＡＢにインデックスを割り振る手段と、
アクセス端末の能力とそれぞれの対象受信者のアクセス端末の識別子のハッシュとに基づいて、非共有ＬＡＢにインデックスを割り付ける手段と、
前記割り当てられたインデックスに基づいて編成された前記共有ＬＡＢ及び前記非共有ＬＡＢを送る手段
とを具備する、無線通信装置。
【請求項２０】
時間−周波数資源グループのそれぞれの対応するサブセットに共有ＬＡＢ及び非共有ＬＡＢのサブセットの転送を制限する手段をさらに具備する、請求項１９の無線通信装置。
【請求項２１】
前記共有ＬＡＢに割り振られた前記インデックスは、０からＭａｘＮｕｍＳｈａｒｅｄＬＡＢｓ−１までのサブセット中にあり、ＭａｘＮｕｍＳｈａｒｅｄＬＡＢｓは、複数のアクセス端末によって復号されるＬＡＢの最大数を示す、請求項１９の無線通信装置。
【請求項２２】
前記識別子は前記それぞれの対象受信者のアクセス端末のＭＡＣＩＤである、請求項１９の無線通信装置。
【請求項２３】
前記非共有ＬＡＢに割り付けられた前記インデックスは、ＭａｘＮｕｍＳｈａｒｅｄＬＡＢｓ＋ｆＨＡＳＨ(ＭＡＣＩＤ)からＭａｘＮｕｍＳｈａｒｅｄＬＡＢｓ＋（ｆＨＡＳＨ(ＭＡＣＩＤ)＋ＭａｘＮｕｍＩｎｄｉｖＬＡＢＤｅｃ−１）ｍｏｄ（ＭａｘＮｕｍＬＡＢｓ−ＭａｘＮｕｍＳｈａｒｅｄＬＡＢｓ)までのサブセット中にあり、ＭａｘＮｕｍＳｈａｒｅｄＬＡＢｓは、複数のアクセス端末によって復号されるＬＡＢの最大数を示し、ＭａｘＮｕｍＩｎｄｉｖＬＡＢＤｅｃは、１つのアクセス端末が復号する非共有ＬＡＢの最大数を示し、ＭａｘＮｕｍＬＡＢｓは、１つの物理フレームで送信されるＬＡＢの最大数を示す、請求項２２の無線通信装置。
【請求項２４】
共通のアクセス端末に宛てられた非共有ＬＡＢが通信されるＬＡＢセグメントの数を最小化することによって前記非共有ＬＡＢのためのインデックスの割り振りを最適化するために前記識別子の前記ハッシュを変更する手段をさらに具備する、請求項１９の無線通信装置。
【請求項２５】
前記共有ＬＡＢ及び前記非共有ＬＡＢは割り当てに関する情報を提供する、請求項１９の無線通信装置。
【請求項２６】
制御メッセージのセットにインデックスを割り当てて、
前記インデックスに基づいて、それぞれの対象受信者のアクセス端末に前記制御メッセージのそれぞれのサブセットの送信を制限する、
機械実行可能命令を記憶させた機械読み出し可能媒体。
【請求項２７】
前記機械実行可能命令は、前記制御メッセージのセットに割り振られた時間−周波数資源グループの対応するサブセットに前記制御メッセージのそれぞれのサブセットの各々を制限することをさらに含む、請求項２６の機械読み出し可能媒体。
【請求項２８】
前記制御メッセージは共有及び非共有リンク割り当てブロック(ＬＡＢ)を含む、請求項２６の機械読み出し可能媒体。
【請求項２９】
前記機械実行可能命令は、
フレーム中の共有ＬＡＢにインデックスを割り当てて、
アクセス端末の能力と前記それぞれの対象受信者のアクセス端末の識別子のハッシュとに基づいて、前記フレーム中の非共有ＬＡＢにインデックスを割り当てて、
前記インデックスに基づいて、前記フレームに前記共有ＬＡＢ及び前記非共有ＬＡＢを配置して、
前記配置された共有ＬＡＢおよび非共有ＬＡＢを有するフレームを送ること
をさらに含む、請求項２８の機械読み出し可能媒体。
【請求項３０】
前記共有ＬＡＢに割り当てられた前記インデックスは、０からＭａｘＮｕｍＳｈａｒｅｄＬＡＢｓ−１までのサブセット中にあり、ＭａｘＮｕｍＳｈａｒｅｄＬＡＢｓは、複数のアクセス端末によって復号されるＬＡＢの最大数を示す、請求項２９の機械読み出し可能媒体。
【請求項３１】
前記識別子は前記それぞれの対象受信者のアクセス端末のＭＡＣＩＤである、請求項２９の機械読み出し可能媒体。
【請求項３２】
前記非共有ＬＡＢに割り当てられた前記インデックスは、ＭａｘＮｕｍＳｈａｒｅｄＬＡＢｓ＋ｆＨＡＳＨ(ＭＡＣＩＤ)からＭａｘＮｕｍＳｈａｒｅｄＬＡＢｓ＋（ｆＨＡＳＨ(ＭＡＣＩＤ)＋ＭａｘＮｕｍＩｎｄｉｖＬＡＢＤｅｃ−１）ｍｏｄ（ＭａｘＮｕｍＬＡＢｓ−ＭａｘＮｕｍＳｈａｒｅｄＬＡＢｓ)までのサブセット中にあり、ＭａｘＮｕｍＳｈａｒｅｄＬＡＢｓは、複数のアクセス端末によって復号されるＬＡＢの最大数を示し、ＭａｘＮｕｍＩｎｄｉｖＬＡＢＤｅｃは、１つのアクセス端末が復号する非共有ＬＡＢの最大数を示し、ＭａｘＮｕｍＬＡＢｓは、１つの物理フレームで送信されるＬＡＢの最大数を示す、請求項３１の機械読み出し可能媒体。
【請求項３３】
前記機械実行可能命令は、共通のアクセス端末に宛てられた非共有ＬＡＢが通信されるＬＡＢセグメントの数を最小化することによって前記非共有ＬＡＢのためのインデックスの割り振りを最適化するために前記識別子の前記ハッシュを変更することをさらに含む、請求項２９の機械読み出し可能媒体。
【請求項３４】
無線通信システムにおいて、
制御メッセージのセットにインデックスを割り当てて、
前記インデックスに基づいて、それぞれの対象受信者のアクセス端末に前記制御メッセージのそれぞれのサブセットの送信を制限する
ように構成されたプロセッサ、
を具備する装置。
【請求項３５】
無線通信環境において制御メッセージのサブセットを復号することを容易にする方法であって、
インデックスを付けられた制御メッセージのセットを受信することと、
対応するインデックスに基づいて識別された前記インデックスを付けられた制御メッセージのサブセットを復号すること
とを含む、方法。
【請求項３６】
前記復号される制御メッセージのサブセットは、前記制御メッセージのセットに割り振られた時間−周波数資源グループのサブセットに制限される、請求項３５の方法。
【請求項３７】
前記制御メッセージは共有及び非共有リンク割り当てブロック(ＬＡＢ)を含み、
インデックスを付けられたＬＡＢを含むフレームをアクセス端末において受信することと、
第１の範囲のインデックスに基づいて識別された共有ＬＡＢを復号することと、
前記アクセス端末に対応する識別子のハッシュに少なくとも部分的に基づいて、第２の範囲のインデックスを決定することと、
前記第２の範囲のインデックスに基づいて識別された非共有ＬＡＢを復号すること
とをさらに含む、請求項３５の方法。
【請求項３８】
前記第１の範囲のインデックスは、０からＭａｘＮｕｍＳｈａｒｅｄＬＡＢｓ−１までであり、ＭａｘＮｕｍＳｈａｒｅｄＬＡＢｓは、複数のアクセス端末によって復号されるＬＡＢの最大数を示す、請求項３７の方法。
【請求項３９】
前記識別子は前記アクセス端末のＭＡＣＩＤである、請求項３７の方法。
【請求項４０】
前記アクセス端末の能力と前記ＭＡＣＩＤの前記ハッシュとに基づいて、前記第２の範囲のインデックスを決定することをさらに含む、請求項３９の方法。
【請求項４１】
前記第２の範囲のインデックスは、基地局によって送られた前記フレーム中の非共有ＬＡＢに対応する全てのインデックスよりも少ないインデックスを含む、請求項４０の方法。
【請求項４２】
前記第２の範囲のインデックスは、ＭａｘＮｕｍＳｈａｒｅｄＬＡＢｓ＋ｆＨＡＳＨ(ＭＡＣＩＤ)からＭａｘＮｕｍＳｈａｒｅｄＬＡＢｓ＋（ｆＨＡＳＨ(ＭＡＣＩＤ)＋ＭａｘＮｕｍＩｎｄｉｖＬＡＢＤｅｃ−１）ｍｏｄ（ＭａｘＮｕｍＬＡＢｓ−ＭａｘＮｕｍＳｈａｒｅｄＬＡＢｓ)までであり、ＭａｘＮｕｍＳｈａｒｅｄＬＡＢｓは、複数のアクセス端末によって復号されるＬＡＢの最大数を示し、ＭａｘＮｕｍＩｎｄｉｖＬＡＢＤｅｃは、前記アクセス端末が復号する非共有ＬＡＢの最大数を示し、ＭａｘＮｕｍＬＡＢｓは、１つの物理フレームで送信されるＬＡＢの最大数を示す、請求項４０の方法。
【請求項４３】
ＬＡＢセグメントがＯＦＤＭ資源である最小数のＬＡＢセグメントにおいて非共有ＬＡＢが取得されることを可能にするように前記第２の範囲のインデックスを操作するために前記識別子の前記ハッシュを調整することをさらに含む、請求項３７の方法。
【請求項４４】
前記アクセス端末が前記非共有ＬＡＢの各々のための対象受信者であるかどうかを認識するために前記非共有ＬＡＢに組み込まれた識別子を評価することをさらに含む、請求項３７の方法。
【請求項４５】
インデックスを付けられた制御メッセージのセットを取得して、対応するインデックスに基づいて識別された前記インデックスを付けられた制御メッセージのサブセットを復号することに関する命令を保持するメモリと、
前記メモリに保持されている前記命令を実行するように構成された、前記メモリに接続された、プロセッサ
とを具備する、無線通信装置。
【請求項４６】
前記復号される制御メッセージのサブセットは、前記制御メッセージのセットに割り振られた時間−周波数資源グループのサブセットに制限される、請求項４５の無線通信装置。
【請求項４７】
前記制御メッセージは共有及び非共有リンク割り当てブロック(ＬＡＢ)を含み、前記メモリは、ＬＡＢを含むフレームを取得して、第１の範囲のインデックスに基づいて認識された共有ＬＡＢを復号して、アクセス端末に対応するＭＡＣＩＤのハッシュの関数として、第２の範囲のインデックスを解読して、前記第２の範囲のインデックスに基づいて認識された非共有ＬＡＢを復号することに関する命令をさらに保持する、請求項４５の無線通信装置。
【請求項４８】
前記第１の範囲のインデックスは、０からＭａｘＮｕｍＳｈａｒｅｄＬＡＢｓ−１までであり、ＭａｘＮｕｍＳｈａｒｅｄＬＡＢｓは、複数のアクセス端末によって復号されるＬＡＢの最大数を示す、請求項４７の無線通信装置。
【請求項４９】
前記メモリは、前記アクセス端末の能力基準と前記ＭＡＣＩＤの前記ハッシュとに基づいて、前記第２の範囲のインデックスを解読することに関する命令をさらに保持する、請求項４７の無線通信装置。
【請求項５０】
前記第２の範囲のインデックスは、ＭａｘＮｕｍＳｈａｒｅｄＬＡＢｓ＋ｆＨＡＳＨ(ＭＡＣＩＤ)からＭａｘＮｕｍＳｈａｒｅｄＬＡＢｓ＋（ｆＨＡＳＨ(ＭＡＣＩＤ)＋ＭａｘＮｕｍＩｎｄｉｖＬＡＢＤｅｃ−１）ｍｏｄ（ＭａｘＮｕｍＬＡＢｓ−ＭａｘＮｕｍＳｈａｒｅｄＬＡＢｓ)までであり、ＭａｘＮｕｍＳｈａｒｅｄＬＡＢｓは、複数のアクセス端末によって復号されるＬＡＢの最大数を示し、ＭａｘＮｕｍＩｎｄｉｖＬＡＢＤｅｃは、前記アクセス端末が復号する非共有ＬＡＢの最大数を示し、ＭａｘＮｕｍＬＡＢｓは、１つの物理フレームで送信されるＬＡＢの最大数を示す、請求項４９の無線通信装置。
【請求項５１】
前記第２の範囲のインデックスは、前記フレーム中の非共有ＬＡＢに対応する全てのインデックスよりも少ないインデックスを含む、請求項４７の無線通信装置。
【請求項５２】
前記メモリは、ＬＡＢセグメントがＯＦＤＭ資源である最小数のＬＡＢセグメントにおいて非共有ＬＡＢが取得されることを可能にするように前記第２の範囲のインデックスを操作するために前記ＭＡＣＩＤの前記ハッシュを調整することに関する命令をさらに保持する、請求項４７の無線通信装置。
【請求項５３】
前記メモリは、前記アクセス端末が前記非共有ＬＡＢの各々のための対象受信者であるかどうかを認識するために前記アクセス端末のＭＡＣＩＤと前記非共有ＬＡＢ中の符号化されたＭＡＣＩＤとを比較することに関する命令をさらに保持する、請求項４７の無線通信装置。
【請求項５４】
無線通信環境において受信リンク割り当てブロック（ＬＡＢ）のサブセットを復号することを可能にする無線通信装置であって、
第１の範囲のインデックスに基づいて認識された共有ＬＡＢを復調する手段と、
アクセス端末の識別子のハッシュとアクセス端末の能力基準とに基づいて、第２の範囲のインデックスを識別する手段と、
前記第２の範囲のインデックスに基づいて認識された非共有ＬＡＢを復調する手段
とを具備する、無線通信装置。
【請求項５５】
前記復調された非共有ＬＡＢは時間−周波数資源グループのサブセットに制限される、請求項５４の無線通信装置。
【請求項５６】
前記第１の範囲のインデックスは、０からＭａｘＮｕｍＳｈａｒｅｄＬＡＢｓ−１までであり、ＭａｘＮｕｍＳｈａｒｅｄＬＡＢｓは、複数のアクセス端末によって復調されるＬＡＢの最大数を示す、請求項５４の無線通信装置。
【請求項５７】
前記アクセス端末の識別子はＭＡＣＩＤであり、前記第２の範囲のインデックスはＭａｘＮｕｍＳｈａｒｅｄＬＡＢｓ＋ｆＨＡＳＨ(ＭＡＣＩＤ)からＭａｘＮｕｍＳｈａｒｅｄＬＡＢｓ＋（ｆＨＡＳＨ(ＭＡＣＩＤ)＋ＭａｘＮｕｍＩｎｄｉｖＬＡＢＤｅｃ−１）ｍｏｄ（ＭａｘＮｕｍＬＡＢｓ−ＭａｘＮｕｍＳｈａｒｅｄＬＡＢｓ)までであり、ＭａｘＮｕｍＳｈａｒｅｄＬＡＢｓは、複数のアクセス端末によって復調されるＬＡＢの最大数を示し、ＭａｘＮｕｍＩｎｄｉｖＬＡＢＤｅｃは、アクセス端末が復調する非共有ＬＡＢの最大数を示し、ＭａｘＮｕｍＬＡＢｓは、１つの物理フレームで送信されるＬＡＢの最大数を示す、請求項５４の無線通信装置。
【請求項５８】
前記第２の範囲のインデックスは、前記フレーム中の非共有ＬＡＢに対応するインデックスの総数よりも少ないインデックスを含む、請求項５４の無線通信装置。
【請求項５９】
ＬＡＢセグメントがＯＦＤＭ資源である最小数のＬＡＢセグメントにおいて非共有ＬＡＢが取得されることを可能にするように前記第２の範囲のインデックスを操作するために前記アクセス端末の識別子の前記ハッシュを調整する手段をさらに具備する、請求項５４の無線通信装置。
【請求項６０】
前記アクセス端末が前記非共有ＬＡＢの各々のための対象受信者であるかどうかを認識するために前記アクセス端末の識別子と前記非共有ＬＡＢ中の符号化された識別子とを比較する手段をさらに具備する、請求項５４の無線通信装置。
【請求項６１】
インデックスを付けられた制御メッセージのセットを受信して、
対応するインデックスに基づいて識別された前記インデックスを付けられた制御メッセージのサブセットを復号する
機械実行可能命令を記憶させた機械読み出し可能媒体。
【請求項６２】
前記復号される制御メッセージのサブセットは、前記制御メッセージのセットに割り振られた時間−周波数資源グループのサブセットに制限される、請求項６１の機械読み出し可能媒体。
【請求項６３】
前記制御メッセージは共有及び非共有リンク割り当てブロック(ＬＡＢ)を含む、請求項６１の機械読み出し可能媒体。
【請求項６４】
前記機械実行可能命令は、
ＬＡＢを含むフレームを取得して、
第１の範囲のインデックスに基づいて認識された共有ＬＡＢを復号して、
アクセス端末に対応するＭＡＣＩＤのハッシュの関数として、第２の範囲のインデックスを解読して、
前記第２の範囲のインデックスに基づいて認識された非共有ＬＡＢを復号する
ことをさらに含む、請求項６３の機械読み出し可能媒体。
【請求項６５】
前記第１の範囲のインデックスは、０からＭａｘＮｕｍＳｈａｒｅｄＬＡＢｓ−１までであり、ＭａｘＮｕｍＳｈａｒｅｄＬＡＢｓは複数のアクセス端末によって復号されるＬＡＢの最大数を示す、請求項６４の機械読み出し可能媒体。
【請求項６６】
前記機械実行可能命令は、前記アクセス端末の能力基準と前記ＭＡＣＩＤの前記ハッシュとに基づいて、前記第２の範囲のインデックスを解読することをさらに含む、請求項６４の機械読み出し可能媒体。
【請求項６７】
前記第２の範囲のインデックスは、ＭａｘＮｕｍＳｈａｒｅｄＬＡＢｓ＋ｆＨＡＳＨ(ＭＡＣＩＤ)からＭａｘＮｕｍＳｈａｒｅｄＬＡＢｓ＋（ｆＨＡＳＨ(ＭＡＣＩＤ)＋ＭａｘＮｕｍＩｎｄｉｖＬＡＢＤｅｃ−１）ｍｏｄ（ＭａｘＮｕｍＬＡＢｓ−ＭａｘＮｕｍＳｈａｒｅｄＬＡＢｓ)までであり、ＭａｘＮｕｍＳｈａｒｅｄＬＡＢｓは、複数のアクセス端末によって復号されるＬＡＢの最大数を示し、ＭａｘＮｕｍＩｎｄｉｖＬＡＢＤｅｃは、前記アクセス端末が復号する非共有ＬＡＢの最大数を示し、ＭａｘＮｕｍＬＡＢｓは、１つの物理フレームで送信されるＬＡＢの最大数を示す、請求項６６の機械読み出し可能媒体。
【請求項６８】
前記第２の範囲のインデックスは、前記フレーム中の非共有ＬＡＢに対応する全てのインデックスよりも少ないインデックスを含む、請求項６４の機械読み出し可能媒体。
【請求項６９】
前記機械実行可能命令は、ＬＡＢセグメントがＯＦＤＭ資源である最小数のＬＡＢセグメントにおいて非共有ＬＡＢが取得されることを可能にするように前記第２の範囲のインデックスを操作するために前記ＭＡＣＩＤの前記ハッシュを調整することをさらに含む、請求項６４の機械読み出し可能媒体。
【請求項７０】
前記機械実行可能命令は、前記アクセス端末が前記非共有ＬＡＢの各々のための対象受信者であるかどうかを認識するために前記アクセス端末の前記ＭＡＣＩＤと前記非共有ＬＡＢ中の符号化されたＭＡＣＩＤとを比較することをさらに含む、請求項６４の機械読み出し可能媒体。
【請求項７１】
無線通信システムにおいて、
インデックスを付けられた制御メッセージのセットを取得して、
対応するインデックスに基づいて識別された前記インデックスを付けられた制御メッセージのサブセットを復号する
ように構成されたプロセッサ、
を備える装置。
【請求項７２】
無線通信環境においてリンク割り当てブロック（ＬＡＢ）にインデックスを割り当てて、それに基づいてＬＡＢを編成する方法であって、
共有ＬＡＢにインデックスを割り振ることと、
アクセス端末の能力とそれぞれの対象受信者のアクセス端末の識別子のハッシュとに基づいて、非共有ＬＡＢにインデックスを割り付けることと、
前記割り当てられたインデックスに基づいて編成された前記共有ＬＡＢ及び前記非共有ＬＡＢを送ること
とを含む、方法。
【請求項７３】
時間−周波数資源グループのそれぞれの対応するサブセットに共有ＬＡＢ及び非共有ＬＡＢのサブセットの転送を制限することをさらに含む、請求項７２の方法。
【請求項７４】
前記共有ＬＡＢに割り振られた前記インデックスは、０からＭａｘＮｕｍＳｈａｒｅｄＬＡＢｓ−１までのサブセット中にあり、ＭａｘＮｕｍＳｈａｒｅｄＬＡＢｓは、複数のアクセス端末によって復号されるＬＡＢの最大数を示す、請求項７２の方法。
【請求項７５】
前記識別子は前記それぞれの対象受信者のアクセス端末の媒体アクセス制御識別子（ＭＡＣＩＤ）である、請求項７２の方法。
【請求項７６】
前記非共有ＬＡＢに割り付けられた前記インデックスは、ＭａｘＮｕｍＳｈａｒｅｄＬＡＢｓ＋ｆＨＡＳＨ(ＭＡＣＩＤ)からＭａｘＮｕｍＳｈａｒｅｄＬＡＢｓ＋（ｆＨＡＳＨ(ＭＡＣＩＤ)＋ＭａｘＮｕｍＩｎｄｉｖＬＡＢＤｅｃ−１）ｍｏｄ（ＭａｘＮｕｍＬＡＢｓ−ＭａｘＮｕｍＳｈａｒｅｄＬＡＢｓ)までのサブセット中にあり、ＭａｘＮｕｍＳｈａｒｅｄＬＡＢｓは、複数のアクセス端末によって復号されるＬＡＢの最大数を示し、ＭａｘＮｕｍＩｎｄｉｖＬＡＢＤｅｃは、１つのアクセス端末が復号する非共有ＬＡＢの最大数を示し、ＭａｘＮｕｍＬＡＢｓは、１つの物理フレームで送信されるＬＡＢの最大数を示す、請求項７５の方法。
【請求項７７】
共通のアクセス端末に宛てられた非共有ＬＡＢが通信されるＬＡＢセグメントの数を最小化することによって前記非共有ＬＡＢのためのインデックスの割り振りを最適化するために前記識別子の前記ハッシュを変更することをさらに含む、請求項７２の方法。
【請求項７８】
前記共有ＬＡＢ及び前記非共有ＬＡＢは割り当てに関する情報を提供する、請求項７２の方法。
【請求項７９】
無線通信環境において受信リンク割り当てブロック（ＬＡＢ）のサブセットを復号する方法であって、
第１の範囲のインデックスに基づいて認識された共有ＬＡＢを復調することと、
アクセス端末の識別子のハッシュとアクセス端末の能力基準とに基づいて、第２の範囲のインデックスを識別することと、
前記第２の範囲のインデックスに基づいて認識された非共有ＬＡＢを復調すること
とを含む、方法。
【請求項８０】
前記復調された非共有ＬＡＢは時間−周波数資源グループのサブセットに制限される、請求項７９の方法。
【請求項８１】
前記第１の範囲のインデックスは、０からＭａｘＮｕｍＳｈａｒｅｄＬＡＢｓ−１までであり、ＭａｘＮｕｍＳｈａｒｅｄＬＡＢｓは、複数のアクセス端末によって復調されるＬＡＢの最大数を示す、請求項７９の方法。
【請求項８２】
前記アクセス端末の識別子は媒体アクセス制御識別子（ＭＡＣＩＤ）であり、前記第２の範囲のインデックスはＭａｘＮｕｍＳｈａｒｅｄＬＡＢｓ＋ｆＨＡＳＨ(ＭＡＣＩＤ)からＭａｘＮｕｍＳｈａｒｅｄＬＡＢｓ＋（ｆＨＡＳＨ(ＭＡＣＩＤ)＋ＭａｘＮｕｍＩｎｄｉｖＬＡＢＤｅｃ−１）ｍｏｄ（ＭａｘＮｕｍＬＡＢｓ−ＭａｘＮｕｍＳｈａｒｅｄＬＡＢｓ)までであり、ＭａｘＮｕｍＳｈａｒｅｄＬＡＢｓは、複数のアクセス端末によって復調されるＬＡＢの最大数を示し、ＭａｘＮｕｍＩｎｄｉｖＬＡＢＤｅｃは、アクセス端末が復調する非共有ＬＡＢの最大数を示し、ＭａｘＮｕｍＬＡＢｓは、１つの物理フレームで送信されるＬＡＢの最大数を示す、請求項７９の方法。
【請求項８３】
前記第２の範囲のインデックスは、前記フレーム中の非共有ＬＡＢに対応するインデックスの総数よりも少ないインデックスを含む、請求項７９の方法。
【請求項８４】
ＬＡＢセグメントが直交周波数分割多重化（ＯＦＤＭ）資源である最小数のＬＡＢセグメントにおいて非共有ＬＡＢが取得されることを可能にするように前記第２の範囲のインデックスを操作するために前記アクセス端末の識別子の前記ハッシュを調整することをさらに含む、請求項７９の方法。
【請求項８５】
前記アクセス端末が前記非共有ＬＡＢの各々のための対象受信者であるかどうかを認識するために前記アクセス端末の識別子と前記非共有ＬＡＢ中の符号化された識別子とを比較することをさらに含む、請求項７９の方法。
【請求項８６】
無線通信環境においてリンク割り当てブロック（ＬＡＢ）にインデックスを割り当てて、それに基づいてＬＡＢを編成する装置であって、
共有ＬＡＢにインデックスを割り振って、
アクセス端末の能力とそれぞれの対象受信者のアクセス端末の識別子のハッシュとに基づいて、非共有ＬＡＢにインデックスを割り付けて、
前記割り当てられたインデックスに基づいて編成された前記共有ＬＡＢ及び前記非共有ＬＡＢを送る
ように構成されたプロセッサと、
前記プロセッサに動作可能に接続されたメモリ
とを具備する、装置。
【請求項８７】
前記プロセッサは、時間−周波数資源グループのそれぞれの対応するサブセットに共有ＬＡＢ及び非共有ＬＡＢのサブセットの転送を制限するようにさらに構成されている、請求項８６の装置。
【請求項８８】
前記共有ＬＡＢに割り振られた前記インデックスは、０からＭａｘＮｕｍＳｈａｒｅｄＬＡＢｓ−１までのサブセット中にあり、ＭａｘＮｕｍＳｈａｒｅｄＬＡＢｓは、複数のアクセス端末によって復号されるＬＡＢの最大数を示す、請求項８６の装置。
【請求項８９】
前記識別子は前記それぞれの対象受信者のアクセス端末の媒体アクセス制御識別子（ＭＡＣＩＤ）である、請求項８６の装置。
【請求項９０】
前記非共有ＬＡＢに割り付けられた前記インデックスは、ＭａｘＮｕｍＳｈａｒｅｄＬＡＢｓ＋ｆＨＡＳＨ(ＭＡＣＩＤ)からＭａｘＮｕｍＳｈａｒｅｄＬＡＢｓ＋（ｆＨＡＳＨ(ＭＡＣＩＤ)＋ＭａｘＮｕｍＩｎｄｉｖＬＡＢＤｅｃ−１）ｍｏｄ（ＭａｘＮｕｍＬＡＢｓ−ＭａｘＮｕｍＳｈａｒｅｄＬＡＢｓ)までのサブセット中にあり、ＭａｘＮｕｍＳｈａｒｅｄＬＡＢｓは、複数のアクセス端末によって復号されるＬＡＢの最大数を示し、ＭａｘＮｕｍＩｎｄｉｖＬＡＢＤｅｃは、１つのアクセス端末が復号する非共有ＬＡＢの最大数を示し、ＭａｘＮｕｍＬＡＢｓは、１つの物理フレームで送信されるＬＡＢの最大数を示す、請求項８９の装置。
【請求項９１】
前記プロセッサは、共通のアクセス端末に宛てられた非共有ＬＡＢが通信されるＬＡＢセグメントの数を最小化することによって前記非共有ＬＡＢのためのインデックスの割り振りを最適化するために前記識別子の前記ハッシュを変更するようにさらに構成されている、請求項８６の装置。
【請求項９２】
前記共有ＬＡＢ及び前記非共有ＬＡＢは割り当てに関する情報を提供する、請求項８６の装置。
【請求項９３】
無線通信環境において受信リンク割り当てブロック（ＬＡＢ）のサブセットを復号する装置であって、
第１の範囲のインデックスに基づいて認識された共有ＬＡＢを復調して、
アクセス端末の識別子のハッシュとアクセス端末の能力基準とに基づいて、第２の範囲のインデックスを識別して、
前記第２の範囲のインデックスに基づいて認識された非共有ＬＡＢを復調する
ように構成されたプロセッサと、
前記プロセッサに動作可能に接続されたメモリ
とを具備する、装置。
【請求項９４】
前記復調された非共有ＬＡＢは時間−周波数資源グループのサブセットに制限される、請求項９３の装置。
【請求項９５】
前記第１の範囲のインデックスは、０からＭａｘＮｕｍＳｈａｒｅｄＬＡＢｓ−１までであり、ＭａｘＮｕｍＳｈａｒｅｄＬＡＢｓは、複数のアクセス端末によって復調されるＬＡＢの最大数を示す、請求項９３の装置。
【請求項９６】
前記アクセス端末の識別子は媒体アクセス制御識別子（ＭＡＣＩＤ）であり、前記第２の範囲のインデックスはＭａｘＮｕｍＳｈａｒｅｄＬＡＢｓ＋ｆＨＡＳＨ(ＭＡＣＩＤ)からＭａｘＮｕｍＳｈａｒｅｄＬＡＢｓ＋（ｆＨＡＳＨ(ＭＡＣＩＤ)＋ＭａｘＮｕｍＩｎｄｉｖＬＡＢＤｅｃ−１）ｍｏｄ（ＭａｘＮｕｍＬＡＢｓ−ＭａｘＮｕｍＳｈａｒｅｄＬＡＢｓ)までであり、ＭａｘＮｕｍＳｈａｒｅｄＬＡＢｓは、複数のアクセス端末によって復調されるＬＡＢの最大数を示し、ＭａｘＮｕｍＩｎｄｉｖＬＡＢＤｅｃは、アクセス端末が復調する非共有ＬＡＢの最大数を示し、ＭａｘＮｕｍＬＡＢｓは、１つの物理フレームで送信されるＬＡＢの最大数を示す、請求項９３の装置。
【請求項９７】
前記第２の範囲のインデックスは、前記フレーム中の非共有ＬＡＢに対応するインデックスの総数よりも少ないインデックスを含む、請求項９３の装置。
【請求項９８】
前記プロセッサは、ＬＡＢセグメントが直交周波数分割多重化（ＯＦＤＭ）資源である最小数のＬＡＢセグメントにおいて非共有ＬＡＢが取得されることを可能にするように前記第２の範囲のインデックスを操作するために前記アクセス端末の識別子の前記ハッシュを調整するようにさらに構成されている、請求項９３の装置。
【請求項９９】
前記プロセッサは、前記アクセス端末が前記非共有ＬＡＢの各々のための対象受信者であるかどうかを認識するために前記アクセス端末の識別子と前記非共有ＬＡＢ中の符号化された識別子とを比較するようにさらに構成されている、請求項９３の装置。
【請求項１００】
無線通信環境においてリンク割り当てブロック（ＬＡＢ）にインデックスを割り当てて、それに基づいてＬＡＢを編成する無線通信装置であって、
共有ＬＡＢにインデックスを割り振る手段と、
それぞれの対象受信者のアクセス端末の識別子のハッシュに基づいて、非共有ＬＡＢにインデックスを割り付ける手段と、
前記割り当てられたインデックスに基づいて編成された前記共有ＬＡＢ及び前記非共有ＬＡＢを送る手段
とを具備する、無線通信装置。
【請求項１０１】
無線通信環境においてリンク割り当てブロック（ＬＡＢ）にインデックスを割り当てて、それに基づいてＬＡＢを編成する無線通信装置であって、
共有ＬＡＢにインデックスを割り振る手段と、
アクセス端末の能力に基づいて、非共有ＬＡＢにインデックスを割り付ける手段と、
前記割り当てられたインデックスに基づいて編成された前記共有ＬＡＢ及び前記非共有ＬＡＢを送る手段
とを具備する、無線通信装置。
【請求項１０２】
無線通信環境においてリンク割り当てブロック（ＬＡＢ）にインデックスを割り当てて、それに基づいてＬＡＢを編成する方法であって、
共有ＬＡＢにインデックスを割り振ることと、
それぞれの対象受信者のアクセス端末の識別子のハッシュに基づいて、非共有ＬＡＢにインデックスを割り付けることと、
前記割り当てられたインデックスに基づいて編成された前記共有ＬＡＢ及び前記非共有ＬＡＢを送ること
とを含む、方法。
【請求項１０３】
無線通信環境においてリンク割り当てブロック（ＬＡＢ）にインデックスを割り当てて、それに基づいてＬＡＢを編成する方法であって、
共有ＬＡＢにインデックスを割り振ることと、
アクセス端末の能力に基づいて、非共有ＬＡＢにインデックスを割り付けることと、
前記割り当てられたインデックスに基づいて編成された前記共有ＬＡＢ及び前記非共有ＬＡＢを送ること
とを含む、方法。
【請求項１０４】
無線通信環境においてリンク割り当てブロック（ＬＡＢ）にインデックスを割り当てて、それに基づいてＬＡＢを編成する無線通信装置であって、
共有ＬＡＢにインデックスを割り振って、
それぞれの対象受信者のアクセス端末の識別子のハッシュに基づいて、非共有ＬＡＢにインデックスを割り付けて、
前記割り当てられたインデックスに基づいて編成された前記共有ＬＡＢ及び前記非共有ＬＡＢを送る
ように構成されたプロセッサと、
前記プロセッサに動作可能に接続されたメモリ
とを具備する、無線通信装置。
【請求項１０５】
無線通信環境においてリンク割り当てブロック（ＬＡＢ）にインデックスを割り当てて、それに基づいてＬＡＢを編成する無線通信装置であって、
共有ＬＡＢにインデックスを割り振って、
アクセス端末の能力に基づいて、非共有ＬＡＢにインデックスを割り付けて、
前記割り当てられたインデックスに基づいて編成された前記共有ＬＡＢ及び前記非共有ＬＡＢを送る
ように構成されたプロセッサと、
前記プロセッサに動作可能に接続されたメモリ
とを具備する、無線通信装置。
【請求項１０６】
無線通信環境において受信リンク割り当てブロック（ＬＡＢ）のサブセットを復号する無線通信装置であって、
第１の範囲のインデックスに基づいて認識された共有ＬＡＢを復調する手段と、
アクセス端末の識別子のハッシュに基づいて、第２の範囲のインデックスを識別する手段と、
前記第２の範囲のインデックスに基づいて認識された非共有ＬＡＢを復調する手段
とを具備する、無線通信装置。
【請求項１０７】
無線通信環境において受信リンク割り当てブロック（ＬＡＢ）のサブセットを復号する無線通信装置であって、
第１の範囲のインデックスに基づいて認識された共有ＬＡＢを復調する手段と、
アクセス端末の能力基準とに基づいて、第２の範囲のインデックスを識別する手段と、
前記第２の範囲のインデックスに基づいて認識された非共有ＬＡＢを復調する手段
とを具備する、無線通信装置。
【請求項１０８】
無線通信環境において受信リンク割り当てブロック（ＬＡＢ）のサブセットを復号する方法であって、
第１の範囲のインデックスに基づいて認識された共有ＬＡＢを復調することと、
アクセス端末の識別子のハッシュに基づいて、第２の範囲のインデックスを識別することと、
前記第２の範囲のインデックスに基づいて認識された非共有ＬＡＢを復調すること
とを含む、方法。
【請求項１０９】
無線通信環境において受信リンク割り当てブロック（ＬＡＢ）のサブセットを復号する方法であって、
第１の範囲のインデックスに基づいて認識された共有ＬＡＢを復調することと、
アクセス端末の能力基準に基づいて、第２の範囲のインデックスを識別することと、
前記第２の範囲のインデックスに基づいて認識された非共有ＬＡＢを復調すること
とを含む、方法。
【請求項１１０】
無線通信環境において受信リンク割り当てブロック（ＬＡＢ）のサブセットを復号する無線通信装置であって、
第１の範囲のインデックスに基づいて認識された共有ＬＡＢを復調して、
アクセス端末の識別子のハッシュに基づいて、第２の範囲のインデックスを識別して、
前記第２の範囲のインデックスに基づいて認識された非共有ＬＡＢを復調する
ように構成されたプロセッサと、
前記プロセッサに動作可能に接続されたメモリ
とを具備する、無線通信装置。
【請求項１１１】
無線通信環境において受信リンク割り当てブロック（ＬＡＢ）のサブセットを復号する無線通信装置であって、
第１の範囲のインデックスに基づいて認識された共有ＬＡＢを復調して、
アクセス端末の能力基準に基づいて、第２の範囲のインデックスを識別して、
前記第２の範囲のインデックスに基づいて認識された非共有ＬＡＢを復調する
ように構成されたプロセッサと、
前記プロセッサに動作可能に接続されたメモリ
とを具備する、無線通信装置。
【手続補正２】
【補正対象書類名】明細書
【補正対象項目名】００７４
【補正方法】変更
【補正の内容】
【００７４】
100,1000・・・無線通信システム、102,902,1010・・・基地局、104,106,108,110,112,114,1024,1052・・・アンテナ、116,122,800,1050・・・アクセス端末、118,124・・・順方向リンク、120,126・・・逆方向リンク、200・・・ＬＡＢにインデックスを付けるシステム、300・・・ＬＡＢセグメント内でＬＡＢを編成するシステム、500・・・無線通信環境において共有及び非共有ＬＡＢを含むフレームを送ることを容易にする方法、600・・・無線通信環境において制御メッセージのサブセットを復号することを容易にする方法、700・・・無線通信環境においてＬＡＢのサブセットを復号することを容易にする方法、900・・・無線通信環境においてＬＡＢにインデックスを付けることを容易にするシステム、1100・・・無線通信環境においてＬＡＢにインデックスを割り当てて、それに基づいてＬＡＢを編成することを可能にするシステム、1102,1202・・・電気コンポーネントの論理グループ、1200・・・無線通信環境において受信ＬＡＢのサブセットを復号することを可能にするシステム。
以下に、本願出願の当初の特許請求の範囲に記載された発明を付記する。
［１］無線通信環境において制御メッセージを含むフレームを送ることを容易にする方法であって、
制御メッセージのセットにインデックスを割り当てるステップと、
前記インデックスに基づいて、それぞれの対象受信者のアクセス端末に前記制御メッセージのそれぞれのサブセットの送信を制限するステップ
とを備える、方法。
［２］前記制御メッセージのセットに割り振られた時間−周波数資源グループの対応するサブセットに前記制御メッセージのそれぞれのサブセットの各々を制限するステップをさらに備える、［１］の方法。
［３］前記制御メッセージは共有及び非共有リンク割り当てブロック(ＬＡＢ)を含み、
フレーム中の共有ＬＡＢにインデックスを割り当てるステップと、
前記それぞれの対象受信者のアクセス端末に対応する識別子のハッシュの関数として、前記フレーム中の非共有ＬＡＢにインデックスを割り当てるステップと、
前記割り当てられたインデックスに従って順序付けられた前記共有ＬＡＢ及び前記非共有ＬＡＢを含む前記フレームを送信するステップ
とをさらに備える、［１］の方法。
［４］前記共有ＬＡＢに割り当てられた前記インデックスは、０からＭａｘＮｕｍＳｈａｒｅｄＬＡＢｓ−１までのサブセット中にあり、ＭａｘＮｕｍＳｈａｒｅｄＬＡＢｓは、複数のアクセス端末によって復号されるＬＡＢの最大数を示す、［３］の方法。
［５］アクセス端末の能力と前記識別子の前記ハッシュとに基づいて、前記フレーム中の前記非共有ＬＡＢに前記インデックスを割り当てるステップをさらに備える、［３］の方法。
［６］前記識別子は、前記それぞれの対象受信者のアクセス端末に対応するＭＡＣＩＤである、［５］の方法。
［７］前記非共有ＬＡＢに割り当てられた前記インデックスは、ＭａｘＮｕｍＳｈａｒｅｄＬＡＢｓ＋ｆＨＡＳＨ(ＭＡＣＩＤ)からＭａｘＮｕｍＳｈａｒｅｄＬＡＢｓ＋（ｆＨＡＳＨ(ＭＡＣＩＤ)＋ＭａｘＮｕｍＩｎｄｉｖＬＡＢＤｅｃ−１）ｍｏｄ（ＭａｘＮｕｍＬＡＢｓ−ＭａｘＮｕｍＳｈａｒｅｄＬＡＢｓ)までのサブセット中にあり、ＭａｘＮｕｍＳｈａｒｅｄＬＡＢｓは、複数のアクセス端末によって復号されるＬＡＢの最大数を示し、ＭａｘＮｕｍＩｎｄｉｖＬＡＢＤｅｃは、１つのアクセス端末が復号する非共有ＬＡＢの最大数を示し、ＭａｘＮｕｍＬＡＢｓは、１つの物理(ＰＨＹ)フレームで送信されるＬＡＢの最大数を示す、［６］の方法。
［８］共通のアクセス端末に宛てられた非共有ＬＡＢが通信されるＬＡＢセグメントの数を最小化することによって前記非共有ＬＡＢのためのインデックスの割り当てを最適化するために前記識別子の前記ハッシュを調整するステップをさらに備える、［３］の方法。
［９］順方向リンク共有制御チャネル(Ｆ−ＳＣＣＨ)により前記フレームを送信するステップをさらに備える、［３］の方法。
［１０］前記共有ＬＡＢ及び前記非共有ＬＡＢは、帯域幅又はパケットフォーマットの少なくとも一方に関係する割り当てに関する情報を提供する、［３］の方法。
［１１］制御メッセージのセットにインデックスを割り当てて、前記インデックスに基づいて、それぞれの対象受信者のアクセス端末に前記制御メッセージのそれぞれのサブセットの送信を制限することに関する命令を保持するメモリと、
前記メモリに保持されている前記命令を実行するように構成された、前記メモリに接続された、プロセッサ
とを備える、無線通信装置。
［１２］前記メモリは、前記制御メッセージのセットに割り振られた時間−周波数資源グループの対応するサブセットに前記制御メッセージのそれぞれのサブセットの各々を制限することに関する命令をさらに保持する、［１１］の無線通信装置。
［１３］前記制御メッセージは共有及び非共有リンク割り当てブロック(ＬＡＢ)を含み、前記メモリは、物理フレーム中の共有ＬＡＢにインデックスを割り振って、前記それぞれの対象受信者のアクセス端末に対応するＭＡＣＩＤのハッシュの関数として、前記物理フレーム中の個別ＬＡＢにインデックスを割り振って、前記割り振られたインデックスに従って順序付けられた前記共有ＬＡＢ及び前記個別ＬＡＢを含む前記物理フレームを送信することに関する命令をさらに保持する、［１１］の無線通信装置。
［１４］前記共有ＬＡＢに割り振られた前記インデックスは、０からＭａｘＮｕｍＳｈａｒｅｄＬＡＢｓ−１までのサブセット中にあり、ＭａｘＮｕｍＳｈａｒｅｄＬＡＢｓは、複数のアクセス端末によって復号されるＬＡＢの最大数を示す、［１３］の無線通信装置。
［１５］前記メモリは、アクセス端末の能力と前記ＭＡＣＩＤの前記ハッシュとに基づいて、前記物理フレーム中の前記個別ＬＡＢに前記インデックスを割り振ることに関する命令をさらに保持する、［１３］の無線通信装置。
［１６］前記個別ＬＡＢに割り振られた前記インデックスは、ＭａｘＮｕｍＳｈａｒｅｄＬＡＢｓ＋ｆＨＡＳＨ(ＭＡＣＩＤ)からＭａｘＮｕｍＳｈａｒｅｄＬＡＢｓ＋（ｆＨＡＳＨ(ＭＡＣＩＤ)＋ＭａｘＮｕｍＩｎｄｉｖＬＡＢＤｅｃ−１）ｍｏｄ（ＭａｘＮｕｍＬＡＢｓ−ＭａｘＮｕｍＳｈａｒｅｄＬＡＢｓ)までのサブセット中にあり、ＭａｘＮｕｍＳｈａｒｅｄＬＡＢｓは、複数のアクセス端末によって復号されるＬＡＢの最大数を示し、ＭａｘＮｕｍＩｎｄｉｖＬＡＢＤｅｃは、１つのアクセス端末が復号する非共有ＬＡＢの最大数を示し、ＭａｘＮｕｍＬＡＢｓは、１つの物理フレームで送信されるＬＡＢの最大数を示す、［１５］の無線通信装置。
［１７］前記メモリは、共通のアクセス端末に宛てられた個別ＬＡＢが通信されるＬＡＢセグメントの数を最小化することによって前記個別ＬＡＢのためのインデックスの割り振りを最適化するために前記ＭＡＣＩＤの前記ハッシュを調整することに関する命令をさらに保持する、［１３］の無線通信装置。
［１８］前記共有ＬＡＢ及び前記個別ＬＡＢは、帯域幅又はパケットフォーマットの少なくとも一方に関係する割り当てに関する情報を提供する、［１３］の無線通信装置。
［１９］無線通信環境においてリンク割り当てブロック（ＬＡＢ）にインデックスを割り当てて、それに基づいてＬＡＢを編成することを可能にする無線通信装置であって、
共有ＬＡＢにインデックスを割り振る手段と、
アクセス端末の能力とそれぞれの対象受信者のアクセス端末の識別子のハッシュとに基づいて、非共有ＬＡＢにインデックスを割り付ける手段と、
前記割り当てられたインデックスに基づいて編成された前記共有ＬＡＢ及び前記非共有ＬＡＢを送る手段
とを備える、無線通信装置。
［２０］時間−周波数資源グループのそれぞれの対応するサブセットに共有ＬＡＢ及び非共有ＬＡＢのサブセットの転送を制限する手段をさらに備える、［１９］の無線通信装置。
［２１］前記共有ＬＡＢに割り振られた前記インデックスは、０からＭａｘＮｕｍＳｈａｒｅｄＬＡＢｓ−１までのサブセット中にあり、ＭａｘＮｕｍＳｈａｒｅｄＬＡＢｓは、複数のアクセス端末によって復号されるＬＡＢの最大数を示す、［１９］の無線通信装置。
［２２］前記識別子は前記それぞれの対象受信者のアクセス端末のＭＡＣＩＤである、［１９］の無線通信装置。
［２３］前記非共有ＬＡＢに割り付けられた前記インデックスは、ＭａｘＮｕｍＳｈａｒｅｄＬＡＢｓ＋ｆＨＡＳＨ(ＭＡＣＩＤ)からＭａｘＮｕｍＳｈａｒｅｄＬＡＢｓ＋（ｆＨＡＳＨ(ＭＡＣＩＤ)＋ＭａｘＮｕｍＩｎｄｉｖＬＡＢＤｅｃ−１）ｍｏｄ（ＭａｘＮｕｍＬＡＢｓ−ＭａｘＮｕｍＳｈａｒｅｄＬＡＢｓ)までのサブセット中にあり、ＭａｘＮｕｍＳｈａｒｅｄＬＡＢｓは、複数のアクセス端末によって復号されるＬＡＢの最大数を示し、ＭａｘＮｕｍＩｎｄｉｖＬＡＢＤｅｃは、１つのアクセス端末が復号する非共有ＬＡＢの最大数を示し、ＭａｘＮｕｍＬＡＢｓは、１つの物理フレームで送信されるＬＡＢの最大数を示す、［２２］の無線通信装置。
［２４］共通のアクセス端末に宛てられた非共有ＬＡＢが通信されるＬＡＢセグメントの数を最小化することによって前記非共有ＬＡＢのためのインデックスの割り振りを最適化するために前記識別子の前記ハッシュを変更する手段をさらに備える、［１９］の無線通信装置。
［２５］前記共有ＬＡＢ及び前記非共有ＬＡＢは割り当てに関する情報を提供する、［１９］の無線通信装置。
［２６］制御メッセージのセットにインデックスを割り当てて、
前記インデックスに基づいて、それぞれの対象受信者のアクセス端末に前記制御メッセージのそれぞれのサブセットの送信を制限する、
機械実行可能命令を記憶させた機械読み出し可能媒体。
［２７］前記機械実行可能命令は、前記制御メッセージのセットに割り振られた時間−周波数資源グループの対応するサブセットに前記制御メッセージのそれぞれのサブセットの各々を制限することをさらに備える、［２６］の機械読み出し可能媒体。
［２８］前記制御メッセージは共有及び非共有リンク割り当てブロック(ＬＡＢ)を含む、［２６］の機械読み出し可能媒体。
［２９］前記機械実行可能命令は、
フレーム中の共有ＬＡＢにインデックスを割り当てて、
アクセス端末の能力と前記それぞれの対象受信者のアクセス端末の識別子のハッシュとに基づいて、前記フレーム中の非共有ＬＡＢにインデックスを割り当てて、
前記インデックスに基づいて、前記フレームに前記共有ＬＡＢ及び前記非共有ＬＡＢを配置して、
前記配置された共有ＬＡＢおよび非共有ＬＡＢを有するフレームを送ること
をさらに備える、［２８］の機械読み出し可能媒体。
［３０］前記共有ＬＡＢに割り当てられた前記インデックスは、０からＭａｘＮｕｍＳｈａｒｅｄＬＡＢｓ−１までのサブセット中にあり、ＭａｘＮｕｍＳｈａｒｅｄＬＡＢｓは、複数のアクセス端末によって復号されるＬＡＢの最大数を示す、［２９］の機械読み出し可能媒体。
［３１］前記識別子は前記それぞれの対象受信者のアクセス端末のＭＡＣＩＤである、［２９］の機械読み出し可能媒体。
［３２］前記非共有ＬＡＢに割り当てられた前記インデックスは、ＭａｘＮｕｍＳｈａｒｅｄＬＡＢｓ＋ｆＨＡＳＨ(ＭＡＣＩＤ)からＭａｘＮｕｍＳｈａｒｅｄＬＡＢｓ＋（ｆＨＡＳＨ(ＭＡＣＩＤ)＋ＭａｘＮｕｍＩｎｄｉｖＬＡＢＤｅｃ−１）ｍｏｄ（ＭａｘＮｕｍＬＡＢｓ−ＭａｘＮｕｍＳｈａｒｅｄＬＡＢｓ)までのサブセット中にあり、ＭａｘＮｕｍＳｈａｒｅｄＬＡＢｓは、複数のアクセス端末によって復号されるＬＡＢの最大数を示し、ＭａｘＮｕｍＩｎｄｉｖＬＡＢＤｅｃは、１つのアクセス端末が復号する非共有ＬＡＢの最大数を示し、ＭａｘＮｕｍＬＡＢｓは、１つの物理フレームで送信されるＬＡＢの最大数を示す、［３１］の機械読み出し可能媒体。
［３３］前記機械実行可能命令は、共通のアクセス端末に宛てられた非共有ＬＡＢが通信されるＬＡＢセグメントの数を最小化することによって前記非共有ＬＡＢのためのインデックスの割り振りを最適化するために前記識別子の前記ハッシュを変更することをさらに備える、［２９］の機械読み出し可能媒体。
［３４］無線通信システムにおいて、
制御メッセージのセットにインデックスを割り当てて、
前記インデックスに基づいて、それぞれの対象受信者のアクセス端末に前記制御メッセージのそれぞれのサブセットの送信を制限する
ように構成されたプロセッサ、
を備える装置。
［３５］無線通信環境において制御メッセージのサブセットを復号することを容易にする方法であって、
インデックスを付けられた制御メッセージのセットを受信するステップと、
対応するインデックスに基づいて識別された前記インデックスを付けられた制御メッセージのサブセットを復号するステップ
とを備える、方法。
［３６］前記復号される制御メッセージのサブセットは、前記制御メッセージのセットに割り振られた時間−周波数資源グループのサブセットに制限される、［３５］の方法。
［３７］前記制御メッセージは共有及び非共有リンク割り当てブロック(ＬＡＢ)を含み、
インデックスを付けられたＬＡＢを含むフレームをアクセス端末において受信するステップと、
第１の範囲のインデックスに基づいて識別された共有ＬＡＢを復号するステップと、
前記アクセス端末に対応する識別子のハッシュに少なくとも部分的に基づいて、第２の範囲のインデックスを決定するステップと、
前記第２の範囲のインデックスに基づいて識別された非共有ＬＡＢを復号するステップ
とをさらに備える、［３５］の方法。
［３８］前記第１の範囲のインデックスは、０からＭａｘＮｕｍＳｈａｒｅｄＬＡＢｓ−１までであり、ＭａｘＮｕｍＳｈａｒｅｄＬＡＢｓは、複数のアクセス端末によって復号されるＬＡＢの最大数を示す、［３７］の方法。
［３９］前記識別子は前記アクセス端末のＭＡＣＩＤである、［３７］の方法。
［４０］前記アクセス端末の能力と前記ＭＡＣＩＤの前記ハッシュとに基づいて、前記第２の範囲のインデックスを決定するステップをさらに備える、［３９］の方法。
［４１］前記第２の範囲のインデックスは、基地局によって送られた前記フレーム中の非共有ＬＡＢに対応する全てのインデックスよりも少ないインデックスを含む、［４０］の方法。
［４２］前記第２の範囲のインデックスは、ＭａｘＮｕｍＳｈａｒｅｄＬＡＢｓ＋ｆＨＡＳＨ(ＭＡＣＩＤ)からＭａｘＮｕｍＳｈａｒｅｄＬＡＢｓ＋（ｆＨＡＳＨ(ＭＡＣＩＤ)＋ＭａｘＮｕｍＩｎｄｉｖＬＡＢＤｅｃ−１）ｍｏｄ（ＭａｘＮｕｍＬＡＢｓ−ＭａｘＮｕｍＳｈａｒｅｄＬＡＢｓ)までであり、ＭａｘＮｕｍＳｈａｒｅｄＬＡＢｓは、複数のアクセス端末によって復号されるＬＡＢの最大数を示し、ＭａｘＮｕｍＩｎｄｉｖＬＡＢＤｅｃは、前記アクセス端末が復号する非共有ＬＡＢの最大数を示し、ＭａｘＮｕｍＬＡＢｓは、１つの物理フレームで送信されるＬＡＢの最大数を示す、［４０］の方法。
［４３］ＬＡＢセグメントがＯＦＤＭ資源である最小数のＬＡＢセグメントにおいて非共有ＬＡＢが取得されることを可能にするように前記第２の範囲のインデックスを操作するために前記識別子の前記ハッシュを調整するステップをさらに備える、［３７］の方法。
［４４］前記アクセス端末が前記非共有ＬＡＢの各々のための対象受信者であるかどうかを認識するために前記非共有ＬＡＢに組み込まれた識別子を評価するステップをさらに備える、［３７］の方法。
［４５］インデックスを付けられた制御メッセージのセットを取得して、対応するインデックスに基づいて識別された前記インデックスを付けられた制御メッセージのサブセットを復号することに関する命令を保持するメモリと、
前記メモリに保持されている前記命令を実行するように構成された、前記メモリに接続された、プロセッサ
とを備える、無線通信装置。
［４６］前記復号される制御メッセージのサブセットは、前記制御メッセージのセットに割り振られた時間−周波数資源グループのサブセットに制限される、［４５］の無線通信装置。
［４７］前記制御メッセージは共有及び非共有リンク割り当てブロック(ＬＡＢ)を含み、前記メモリは、ＬＡＢを含むフレームを取得して、第１の範囲のインデックスに基づいて認識された共有ＬＡＢを復号して、アクセス端末に対応するＭＡＣＩＤのハッシュの関数として、第２の範囲のインデックスを解読して、前記第２の範囲のインデックスに基づいて認識された非共有ＬＡＢを復号することに関する命令をさらに保持する、［４５］の無線通信装置。
［４８］前記第１の範囲のインデックスは、０からＭａｘＮｕｍＳｈａｒｅｄＬＡＢｓ−１までであり、ＭａｘＮｕｍＳｈａｒｅｄＬＡＢｓは、複数のアクセス端末によって復号されるＬＡＢの最大数を示す、［４７］の無線通信装置。
［４９］前記メモリは、前記アクセス端末の能力基準と前記ＭＡＣＩＤの前記ハッシュとに基づいて、前記第２の範囲のインデックスを解読することに関する命令をさらに保持する、［４７］の無線通信装置。
［５０］前記第２の範囲のインデックスは、ＭａｘＮｕｍＳｈａｒｅｄＬＡＢｓ＋ｆＨＡＳＨ(ＭＡＣＩＤ)からＭａｘＮｕｍＳｈａｒｅｄＬＡＢｓ＋（ｆＨＡＳＨ(ＭＡＣＩＤ)＋ＭａｘＮｕｍＩｎｄｉｖＬＡＢＤｅｃ−１）ｍｏｄ（ＭａｘＮｕｍＬＡＢｓ−ＭａｘＮｕｍＳｈａｒｅｄＬＡＢｓ)までであり、ＭａｘＮｕｍＳｈａｒｅｄＬＡＢｓは、複数のアクセス端末によって復号されるＬＡＢの最大数を示し、ＭａｘＮｕｍＩｎｄｉｖＬＡＢＤｅｃは、前記アクセス端末が復号する非共有ＬＡＢの最大数を示し、ＭａｘＮｕｍＬＡＢｓは、１つの物理フレームで送信されるＬＡＢの最大数を示す、［４９］の無線通信装置。
［５１］前記第２の範囲のインデックスは、前記フレーム中の非共有ＬＡＢに対応する全てのインデックスよりも少ないインデックスを含む、［４７］の無線通信装置。
［５２］前記メモリは、ＬＡＢセグメントがＯＦＤＭ資源である最小数のＬＡＢセグメントにおいて非共有ＬＡＢが取得されることを可能にするように前記第２の範囲のインデックスを操作するために前記ＭＡＣＩＤの前記ハッシュを調整することに関する命令をさらに保持する、［４７］の無線通信装置。
［５３］前記メモリは、前記アクセス端末が前記非共有ＬＡＢの各々のための対象受信者であるかどうかを認識するために前記アクセス端末のＭＡＣＩＤと前記非共有ＬＡＢ中の符号化されたＭＡＣＩＤとを比較することに関する命令をさらに保持する、［４７］の無線通信装置。
［５４］無線通信環境において受信リンク割り当てブロック（ＬＡＢ）のサブセットを復号することを可能にする無線通信装置であって、
第１の範囲のインデックスに基づいて認識された共有ＬＡＢを復調する手段と、
アクセス端末の識別子のハッシュとアクセス端末の能力基準とに基づいて、第２の範囲のインデックスを識別する手段と、
前記第２の範囲のインデックスに基づいて認識された非共有ＬＡＢを復調する手段
とを備える、無線通信装置。
［５５］前記復調された非共有ＬＡＢは時間−周波数資源グループのサブセットに制限される、［５４］の無線通信装置。
［５６］前記第１の範囲のインデックスは、０からＭａｘＮｕｍＳｈａｒｅｄＬＡＢｓ−１までであり、ＭａｘＮｕｍＳｈａｒｅｄＬＡＢｓは、複数のアクセス端末によって復調されるＬＡＢの最大数を示す、［５４］の無線通信装置。
［５７］前記アクセス端末の識別子はＭＡＣＩＤであり、前記第２の範囲のインデックスはＭａｘＮｕｍＳｈａｒｅｄＬＡＢｓ＋ｆＨＡＳＨ(ＭＡＣＩＤ)からＭａｘＮｕｍＳｈａｒｅｄＬＡＢｓ＋（ｆＨＡＳＨ(ＭＡＣＩＤ)＋ＭａｘＮｕｍＩｎｄｉｖＬＡＢＤｅｃ−１）ｍｏｄ（ＭａｘＮｕｍＬＡＢｓ−ＭａｘＮｕｍＳｈａｒｅｄＬＡＢｓ)までであり、ＭａｘＮｕｍＳｈａｒｅｄＬＡＢｓは、複数のアクセス端末によって復調されるＬＡＢの最大数を示し、ＭａｘＮｕｍＩｎｄｉｖＬＡＢＤｅｃは、アクセス端末が復調する非共有ＬＡＢの最大数を示し、ＭａｘＮｕｍＬＡＢｓは、１つの物理フレームで送信されるＬＡＢの最大数を示す、［５４］の無線通信装置。
［５８］前記第２の範囲のインデックスは、前記フレーム中の非共有ＬＡＢに対応するインデックスの総数よりも少ないインデックスを含む、［５４］の無線通信装置。
［５９］ＬＡＢセグメントがＯＦＤＭ資源である最小数のＬＡＢセグメントにおいて非共有ＬＡＢが取得されることを可能にするように前記第２の範囲のインデックスを操作するために前記アクセス端末の識別子の前記ハッシュを調整する手段をさらに備える、［５４］の無線通信装置。
［６０］前記アクセス端末が前記非共有ＬＡＢの各々のための対象受信者であるかどうかを認識するために前記アクセス端末の識別子と前記非共有ＬＡＢ中の符号化された識別子とを比較する手段をさらに備える、［５４］の無線通信装置。
［６１］インデックスを付けられた制御メッセージのセットを受信して、
対応するインデックスに基づいて識別された前記インデックスを付けられた制御メッセージのサブセットを復号する
機械実行可能命令を記憶させた機械読み出し可能媒体。
［６２］前記復号される制御メッセージのサブセットは、前記制御メッセージのセットに割り振られた時間−周波数資源グループのサブセットに制限される、［６１］の機械読み出し可能媒体。
［６３］前記制御メッセージは共有及び非共有リンク割り当てブロック(ＬＡＢ)を含む、［６１］の機械読み出し可能媒体。
［６４］前記機械実行可能命令は、
ＬＡＢを含むフレームを取得して、
第１の範囲のインデックスに基づいて認識された共有ＬＡＢを復号して、
アクセス端末に対応するＭＡＣＩＤのハッシュの関数として、第２の範囲のインデックスを解読して、
前記第２の範囲のインデックスに基づいて認識された非共有ＬＡＢを復号する
ことをさらに備える、［６３］の機械読み出し可能媒体。
［６５］前記第１の範囲のインデックスは、０からＭａｘＮｕｍＳｈａｒｅｄＬＡＢｓ−１までであり、ＭａｘＮｕｍＳｈａｒｅｄＬＡＢｓは複数のアクセス端末によって復号されるＬＡＢの最大数を示す、［６４］の機械読み出し可能媒体。
［６６］前記機械実行可能命令は、前記アクセス端末の能力基準と前記ＭＡＣＩＤの前記ハッシュとに基づいて、前記第２の範囲のインデックスを解読することをさらに備える、［６４］の機械読み出し可能媒体。
［６７］前記第２の範囲のインデックスは、ＭａｘＮｕｍＳｈａｒｅｄＬＡＢｓ＋ｆＨＡＳＨ(ＭＡＣＩＤ)からＭａｘＮｕｍＳｈａｒｅｄＬＡＢｓ＋（ｆＨＡＳＨ(ＭＡＣＩＤ)＋ＭａｘＮｕｍＩｎｄｉｖＬＡＢＤｅｃ−１）ｍｏｄ（ＭａｘＮｕｍＬＡＢｓ−ＭａｘＮｕｍＳｈａｒｅｄＬＡＢｓ)までであり、ＭａｘＮｕｍＳｈａｒｅｄＬＡＢｓは、複数のアクセス端末によって復号されるＬＡＢの最大数を示し、ＭａｘＮｕｍＩｎｄｉｖＬＡＢＤｅｃは、前記アクセス端末が復号する非共有ＬＡＢの最大数を示し、ＭａｘＮｕｍＬＡＢｓは、１つの物理フレームで送信されるＬＡＢの最大数を示す、［６６］の機械読み出し可能媒体。
［６８］前記第２の範囲のインデックスは、前記フレーム中の非共有ＬＡＢに対応する全てのインデックスよりも少ないインデックスを含む、［６４］の機械読み出し可能媒体。
［６９］前記機械実行可能命令は、ＬＡＢセグメントがＯＦＤＭ資源である最小数のＬＡＢセグメントにおいて非共有ＬＡＢが取得されることを可能にするように前記第２の範囲のインデックスを操作するために前記ＭＡＣＩＤの前記ハッシュを調整することをさらに備える、［６４］の機械読み出し可能媒体。
［７０］前記機械実行可能命令は、前記アクセス端末が前記非共有ＬＡＢの各々のための対象受信者であるかどうかを認識するために前記アクセス端末の前記ＭＡＣＩＤと前記非共有ＬＡＢ中の符号化されたＭＡＣＩＤとを比較することをさらに備える、［６４］の機械読み出し可能媒体。
［７１］無線通信システムにおいて、
インデックスを付けられた制御メッセージのセットを取得して、
対応するインデックスに基づいて識別された前記インデックスを付けられた制御メッセージのサブセットを復号する
ように構成されたプロセッサ、
を備える装置。